(57)【要約】【課題】  発注者の好みに応じた印刷物のサンプルを提示する印刷物作成システムを提供する。【解決手段】  前記印刷受注装置（１０）は、印刷発注装置（３０）から受信した回答に対応して登録されている指数ポイント（ｉｘ，ｉｙ，ｉｚ）に基づいて、発注者の好みを示す発注者特徴指数（Ｓｉｘ，Ｓｉｙ，Ｓｉｚ）を算出し、当該算出した発注者特徴指数（Ｓｉｘ，Ｓｉｙ，Ｓｉｚ）に近いデザイン特徴指数（Ｉｘ，Ｉｙ，Ｉｚ）のサンプルを抽出する。【選択図】  図１１
2006031139.tif 000002
【特許請求の範囲】
【請求項１】
印刷発注装置と印刷受注装置との間で通信を行うことで、印刷物の作成の発注と受注を行う印刷物作成システムにおいて、
前記印刷受注装置は、
印刷物のサンプルのデザインの特徴を示すデザイン特徴指数が当該サンプルに対応付けられて登録されたサンプル指数登録手段と、
発注者に対する質問への回答に対する指数ポイントが規定された指数ポイント登録手段と、
発注者に対する質問を、前記印刷発注装置へ送信するアンケート送信手段と、
発注者に対する質問への回答を前記印刷発注装置から受信するサンプル要求指令受信手段と、
当該サンプル要求指令受信手段で受信した回答に対応して前記指数ポイント登録手段に登録されている前記指数ポイントに基づいて、前記発注者の好みを示す発注者特徴指数を算出する発注者特徴指数算出手段と、
該発注者特徴指数算出手段で算出した前記発注者特徴指数に近い前記デザイン特徴指数のサンプルを、前記サンプル指数登録手段から抽出するサンプル抽出手段と、
該サンプル抽出手段で抽出したサンプルのデータを前記印刷発注装置へ送信するサンプル送信手段と、を備えたことを特徴とする印刷物作成システム。
【請求項２】
印刷発注装置と印刷受注装置との間で通信を行うことで、印刷物の作成の発注と受注を行う印刷物作成システムにおいて、
前記印刷受注装置は、
印刷物のサンプルのデザインの特徴を示すデザイン特徴指数が当該サンプルを特定するサンプル識別標識に対応付けられて登録されたサンプル指数登録手段と、
発注者に対する質問項目を特定する質問項目識別標識と当該質問項目に対する回答項目を示す回答番号との組合せに対する指数ポイントが規定された指数ポイント登録手段と、
前記質問項目識別標識と、当該前記質問項目識別標識に対応付けられた質問項目及び回答項目を、前記印刷発注装置へ送信するアンケート送信手段と、
複数の前記質問項目識別標識と、当該複数の質問項目識別標識のそれぞれに対応付けられた前記回答番号を前記印刷発注装置から受信するサンプル要求指令受信手段と、
当該サンプル要求指令受信手段で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出手段と、
該発注者特徴指数算出手段で算出した前記発注者特徴指数に近い前記デザイン特徴指数に対応付けられて登録されている前記サンプル識別標識を、前記サンプル指数登録手段から抽出するサンプル抽出手段と、
該サンプル抽出手段で抽出した前記サンプル識別標識で特定されるサンプルのデータを前記印刷発注装置へ送信するサンプル送信手段と、を備えたことを特徴とする印刷物作成システム。
【請求項３】
印刷発注装置と印刷受注装置との間で通信を行うことで、印刷物の作成の発注と受注を行う印刷物作成システムにおいて、
前記印刷受注装置は、
印刷物のサンプルの属性を示す属性識別標識及び当該サンプルのデザインの特徴を示すデザイン特徴指数が当該サンプルを特定するサンプル識別標識に対応付けられて登録されたサンプル指数登録手段と、
発注者に対する質問項目を特定する質問項目識別標識と当該質問項目に対する回答項目を示す回答番号との組合せに対する指数ポイントが規定された指数ポイント登録手段と、
前記質問項目識別標識と、前記質問項目識別標識に対応付けられた質問項目及び回答項目を、前記印刷発注装置へ送信するアンケート送信手段と、
複数の前記質問項目識別標識と、当該複数の質問項目識別標識のそれぞれに対応付けられた前記回答番号と、前記属性識別標識を前記印刷発注装置から受信するサンプル要求指令受信手段と、
当該サンプル要求指令受信手段で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出手段と、
前記サンプル要求指令受信手段で受信した前記属性識別標識に対応付けられて前記サンプル指数登録手段に登録されている前記サンプル識別標識の中から、前記発注者特徴指数算出手段で算出した前記発注者特徴指数に近い前記デザイン特徴指数に対応付けられて登録されている前記サンプル識別標識を抽出するサンプル抽出手段と、
該サンプル抽出手段で抽出した前記サンプル識別標識で特定される前記印刷物のサンプルのデータを前記印刷発注装置へ送信するサンプル送信手段と、を備えたことを特徴とする印刷物作成システム。
【請求項４】
前記印刷受注装置は、
前記質問項目に対して前記発注者が選択した回答項目を示す回答番号を、当該発注者を特定する発注者識別情報に対応付けて登録するアンケート結果登録手段をさらに備え、
前記アンケート送信手段は、前記質問項目識別標識と、当該質問項目識別標識に対応付けられた質問項目及び回答項目とともに、前記アンケート結果登録手段に登録されている前記回答番号を、前記印刷発注装置へ送信し、
前記サンプル要求指令受信手段は、前記発注者識別情報と、複数の前記質問項目識別標識と、当該複数の質問項目識別標識のそれぞれに対応付けられた前記回答番号を、前記印刷発注装置から受信し、受信した前記発注者識別情報と前記回答番号とを対応付けて前記アンケート結果登録手段の更新を行うことを特徴とする請求項２又は請求項３に記載の印刷物作成システム。
【請求項５】
前記サンプル抽出手段は、前記サンプル識別標識を複数抽出することを特徴とする請求項２乃至請求項４のうちいずれか１つに記載の印刷物作成システム。
【請求項６】
印刷物の作成の受注を行う印刷受注装置において、
印刷物のサンプルのデザインの特徴を示すデザイン特徴指数が当該サンプルに対応付けられて登録されたサンプル指数登録手段と、
発注者に対する質問への回答に対する指数ポイントが規定された指数ポイント登録手段と、
発注者に対する質問を送信するアンケート送信手段と、
発注者に対する質問への回答を受信するサンプル要求指令受信手段と、
当該サンプル要求指令受信手段で受信した回答に対応して前記指数ポイント登録手段に登録されている前記指数ポイントに基づいて、前記発注者の好みを示す発注者特徴指数を算出する発注者特徴指数算出手段と、
該発注者特徴指数算出手段で算出した前記発注者特徴指数に近い前記デザイン特徴指数のサンプルを、前記サンプル指数登録手段から抽出するサンプル抽出手段と、
該サンプル抽出手段で抽出したサンプルのデータを送信するサンプル送信手段と、を備えたことを特徴とする印刷受注装置。
【請求項７】
印刷物の作成の受注を行う印刷受注装置において、
印刷物のサンプルのデザインの特徴を示すデザイン特徴指数が当該サンプルを特定するサンプル識別標識に対応付けられて登録されたサンプル指数登録手段と、
発注者に対する質問項目を特定する質問項目識別標識と当該質問項目に対する回答項目を示す回答番号との組合せに対する指数ポイントが規定された指数ポイント登録手段と、
前記質問項目識別標識と、当該前記質問項目識別標識に対応付けられた質問項目及び回答項目を送信するアンケート送信手段と、
複数の前記質問項目識別標識と、当該複数の質問項目識別標識のそれぞれに対応付けられた前記回答番号を受信するサンプル要求指令受信手段と、
当該サンプル要求指令受信手段で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出手段と、
該発注者特徴指数算出手段で算出した前記発注者特徴指数に近い前記デザイン特徴指数に対応付けられて登録されている前記サンプル識別標識を、前記サンプル指数登録手段から抽出するサンプル抽出手段と、
該サンプル抽出手段で抽出した前記サンプル識別標識で特定される前記印刷物のサンプルのデータを送信するサンプル送信手段と、を備えたことを特徴とする印刷受注装置。
【請求項８】
印刷物の作成の受注を行う印刷受注装置において、
印刷物のサンプルの属性を示す属性識別標識及び当該サンプルのデザインの特徴を示すデザイン特徴指数が当該サンプルを特定するサンプル識別標識に対応付けられて登録されたサンプル指数登録手段と、
発注者に対する質問項目を特定する質問項目識別標識と当該質問項目に対する回答項目を示す回答番号との組合せに対する指数ポイントが規定された指数ポイント登録手段と、
前記質問項目識別標識と、前記質問項目識別標識に対応付けられた質問項目及び回答項目を送信するアンケート送信手段と、
複数の前記質問項目識別標識と、当該複数の質問項目識別標識のそれぞれに対応付けられた前記回答番号と、前記属性識別標識を受信するサンプル要求指令受信手段と、
当該サンプル要求指令受信手段で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出手段と、
前記サンプル要求指令受信手段で受信した前記属性識別標識に対応付けられて前記サンプル指数登録手段に登録されている前記サンプル識別標識の中から、前記発注者特徴指数算出手段で算出した前記発注者特徴指数に近い前記デザイン特徴指数に対応付けられて登録されている前記サンプル識別標識を抽出するサンプル抽出手段と、
該サンプル抽出手段で抽出した前記サンプル識別標識で特定される前記印刷物のサンプルのデータを送信するサンプル送信手段と、を備えたことを特徴とする印刷受注装置。
【請求項９】
前記質問項目に対して前記発注者が選択した回答項目を示す回答番号を、当該発注者を特定する発注者識別情報に対応付けて登録するアンケート結果登録手段をさらに備え、
前記アンケート送信手段は、前記質問項目識別標識と、当該質問項目識別標識に対応付けられた質問項目及び回答項目とともに、前記アンケート結果登録手段に登録されている前記回答番号を送信し、
前記サンプル要求指令受信手段は、前記発注者識別情報と、複数の前記質問項目識別標識と、当該複数の質問項目識別標識のそれぞれに対応付けられた前記回答番号を受信し、受信した前記発注者識別情報と前記回答番号とを対応付けて前記アンケート結果登録手段の更新を行うことを特徴とする請求項７又は請求項８に記載の印刷受注装置。
【請求項１０】
前記サンプル抽出手段は、前記サンプル識別標識を複数抽出することを特徴とする請求項７乃至請求項９のうちいずれか１つに記載の印刷受注装置。
【請求項１１】
印刷物のサンプルのデザインの特徴を示すデザイン特徴指数が当該サンプルに対応付けられて登録されたサンプル指数登録手段と、
発注者に対する質問への回答に対する指数ポイントが規定された指数ポイント登録手段と、を備えて印刷物の作成の受注を行う印刷受注装置に、
発注者に対する質問を送信するアンケート送信工程と、
発注者に対する質問への回答を受信するサンプル要求指令受信工程と、
当該サンプル要求指令受信工程で受信した回答に対応して前記指数ポイント登録手段に登録されている前記指数ポイントに基づいて、前記発注者の好みを示す発注者特徴指数を算出する発注者特徴指数算出工程と、
該発注者特徴指数算出工程で算出した前記発注者特徴指数に近い前記デザイン特徴指数のサンプルを、前記サンプル指数登録手段から抽出するサンプル抽出工程と、
該サンプル抽出工程で抽出したサンプルのデータを送信するサンプル送信工程と、を実行させるための印刷受注プログラム。
【請求項１２】
印刷物のサンプルのデザインの特徴を示すデザイン特徴指数が当該サンプルを特定するサンプル識別標識に対応付けられて登録されたサンプル指数登録手段と、発注者に対する質問項目を特定する質問項目識別標識と当該質問項目に対する回答項目を示す回答番号との組合せに対する指数ポイントが規定された指数ポイント登録手段と、を備えて印刷物の作成の受注を行う印刷受注装置に、
前記質問項目識別標識と、当該前記質問項目識別標識に対応付けられた質問項目及び回答項目を送信するアンケート送信工程と、
複数の前記質問項目識別標識と、当該複数の質問項目識別標識のそれぞれに対応付けられた前記回答番号を受信するサンプル要求指令受信工程と、
当該サンプル要求指令受信工程で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出工程と、
該発注者特徴指数算出工程で算出した前記発注者特徴指数に近い前記デザイン特徴指数に対応付けられて登録されている前記サンプル識別標識を、前記サンプル指数登録手段から抽出するサンプル抽出工程と、
該サンプル抽出工程で抽出した前記サンプル識別標識で特定される前記印刷物のサンプルのデータを送信するサンプル送信工程と、を実行させるための印刷受注プログラム。
【請求項１３】
印刷物のサンプルの属性を示す属性識別標識及び当該サンプルのデザインの特徴を示すデザイン特徴指数が当該サンプルを特定するサンプル識別標識に対応付けられて登録されたサンプル指数登録手段と、発注者に対する質問項目を特定する質問項目識別標識と当該質問項目に対する回答項目を示す回答番号との組合せに対する指数ポイントが規定された指数ポイント登録手段と、を備えて印刷物の作成の受注を行う印刷受注装置に、
前記質問項目識別標識と、前記質問項目識別標識に対応付けられた質問項目及び回答項目を送信するアンケート送信工程と、
複数の前記質問項目識別標識と、当該複数の質問項目識別標識のそれぞれに対応付けられた前記回答番号と、前記属性識別標識を受信するサンプル要求指令受信工程と、
当該サンプル要求指令受信工程で受信した前記質問項目識別標識及び前記回答番号の各組合せに対応して前記指数ポイント登録手段に登録されている前記指数ポイントに基づいて、前記発注者の好みを示す発注者特徴指数を算出する発注者特徴指数算出工程と、
前記サンプル要求指令受信工程で受信した前記属性識別標識に対応付けられて前記サンプル指数登録手段に登録されている前記サンプル識別標識の中から、前記発注者特徴指数算出工程で算出した前記発注者特徴指数に近い前記デザイン特徴指数に対応付けられて登録されている前記サンプル識別標識を抽出するサンプル抽出工程と、
該サンプル抽出工程で抽出した前記サンプル識別標識で特定される前記印刷物のサンプルのデータを送信するサンプル送信工程と、を実行させるための印刷受注プログラム。
【請求項１４】
印刷受注装置が、前記質問項目に対して前記発注者が選択した回答項目を示す回答番号を、当該発注者を特定する発注者識別情報に対応付けて登録するアンケート結果登録手段をさらに備え、
前記アンケート送信工程では、前記質問項目識別標識と、当該質問項目識別標識に対応付けられた質問項目及び回答項目とともに、前記アンケート結果登録手段に登録されている前記回答番号を送信させ、
前記サンプル要求指令受信工程では、前記発注者識別情報と、複数の前記質問項目識別標識と、当該複数の質問項目識別標識のそれぞれに対応付けられた前記回答番号を受信し、受信した前記発注者識別情報と前記回答番号とを対応付けて前記アンケート結果登録手段の更新を実行させることを特徴とする請求項１２又は請求項１３に記載の印刷受注プログラム。
【請求項１５】
前記サンプル抽出工程では、前記サンプル識別標識を複数抽出させることを特徴とする請求項１２乃至請求項１４のうちいずれか１つに記載の印刷受注プログラム。
【発明の詳細な説明】
【技術分野】
【０００１】
本発明は、印刷物作成システム及び印刷受注装置並びに印刷受注プログラムに係り、特に、発注者に対して印刷物のサンプルの提示を行う印刷物作成システム及び印刷受注装置並びに印刷受注プログラムに関する。
【背景技術】
【０００２】
従来、商品の販売促進用のチラシ，パンフレット，カタログや、会社案内、名刺等の印刷物の作成を行う場合、その作成を依頼する発注者と、作成を行う受注者は、印刷物のデザインや記載文字等を最終決定するために多くの時間と労力を費やしていた。また、発注者にとっては、それまでに印刷物の作成依頼を行ったことがない等の理由で人脈がなく、印刷物の作成を発注するのに二の足を踏むということもあった。
【０００３】
このような、人的労力や人脈に頼る従来型の印刷物の発注・受注のシステムにおける問題を解決するために、情報技術を応用した印刷物作成システムが提案されている。
例えば、特許文献１の印刷物作成システムでは、顧客（発注者）が入力した検索条件から検索された雛形デザイン（サンプル）を選択し、その雛形デザインから印刷物のデータを作成するためのＧＵＩ環境を、Ｗｅｂブラウザ上に提供し、Ｗｅｂブラウザから印刷の注文を受付け、印刷物のデータを印刷会社のコンピュータに送る構成を備えていた。
【０００４】
【特許文献１】特開２００１−１４２８２１号公報（第３−５頁、図１−３）
【発明の開示】
【発明が解決しようとする課題】
【０００５】
しかしながら、デザインの好みは抽象的・概念的なものであることが少なくないため、特許文献１に記載されているような従来の印刷物作成システムでは、顧客が上手に検索条件を入力しなければ、顧客の満足度の高い雛形デザインを選択することが困難であった。例えば、顧客の好みに反して、雛形デザインがアート志向に偏りすぎる等して、顧客の満足度の高い雛形デザインを提供できないことがあった。
【０００６】
本発明は、上記問題に鑑みてなされたものであって、発注者の好みに応じた印刷物のサンプルを提示することで、顧客の満足度の高い印刷物を提供することができる印刷物作成システム及び印刷受注装置並びに印刷受注プログラムを提供することを目的とする。
【課題を解決するための手段】
【０００７】
上記課題を解決するために、請求項１に記載の印刷物作成システムは、印刷発注装置（３０）と印刷受注装置（１０）との間で通信を行うことで、印刷物の作成の発注と受注を行う印刷物作成システムにおいて、前記印刷受注装置（１０）は、印刷物のサンプルのデザインの特徴を示すデザイン特徴指数（Ｉｘ，Ｉｙ，Ｉｚ）が当該サンプルに対応付けられて登録されたサンプル指数登録手段（サンプルＤＢ１２ｄ：図８）と、発注者に対する質問への回答に対する指数ポイント（ｉｘ，ｉｙ，ｉｚ）が規定された指数ポイント登録手段（指数算出ＤＢ１２ｙ：図１０）と、発注者に対する質問を、前記印刷発注装置（３０）へ送信するアンケート送信手段（ステップＳ３１５：図７）と、発注者に対する質問への回答を前記印刷発注装置（３０）から受信するサンプル要求指令受信手段（ステップＳ４１０：図１１）と、当該サンプル要求指令受信手段で受信した回答に対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、該発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）のサンプルを、前記サンプル指数登録手段（サンプルＤＢ１２ｄ：図８）から抽出するサンプル抽出手段（ステップＳ４１２〜ステップＳ４１３：図１１）と、該サンプル抽出手段で抽出したサンプルのデータを前記印刷発注装置（３０）へ送信するサンプル送信手段（ステップＳ４１４：図１１）と、を備えたことを特徴とする。
【０００８】
また上記課題を解決するために、請求項２に記載の印刷物作成システムは、印刷発注装置（３０）と印刷受注装置（１０）との間で通信を行うことで、印刷物の作成の発注と受注を行う印刷物作成システムにおいて、前記印刷受注装置（１０）は、印刷物のサンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、前記質問項目識別標識（質問項目ＩＤ）と、当該前記質問項目識別標識（質問項目ＩＤ）に対応付けられた質問項目及び回答項目を、前記印刷発注装置（３０）へ送信するアンケート送信手段（ステップＳ３１５：図７）と、複数の前記質問項目識別標識（質問項目ＩＤ）と、当該複数の質問項目識別標識（質問項目ＩＤ）のそれぞれに対応付けられた前記回答番号を前記印刷発注装置（３０）から受信するサンプル要求指令受信手段（ステップＳ４１０：図１１）と、当該サンプル要求指令受信手段で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、該発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を、前記サンプル指数登録手段（サンプルＤＢ１２ｄ：図８）から抽出するサンプル抽出手段（ステップＳ４１２〜ステップＳ４１３：図１１）と、該サンプル抽出手段で抽出した前記サンプル識別標識（サンプルＩＤ）で特定されるサンプルのデータを前記印刷発注装置（３０）へ送信するサンプル送信手段（ステップＳ４１４：図１１）と、を備えたことを特徴とする。
【０００９】
また上記課題を解決するために、請求項３に記載の印刷物作成システムは、印刷発注装置（３０）と印刷受注装置（１０）との間で通信を行うことで、印刷物の作成の発注と受注を行う印刷物作成システムにおいて、前記印刷受注装置（１０）は、印刷物のサンプルの属性を示す属性識別標識（属性ＩＤ）及び当該サンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、前記質問項目識別標識（質問項目ＩＤ）と、前記質問項目識別標識（質問項目ＩＤ）に対応付けられた質問項目及び回答項目を、前記印刷発注装置（３０）へ送信するアンケート送信手段（ステップＳ３１５：図７）と、複数の前記質問項目識別標識（質問項目ＩＤ）と、当該複数の質問項目識別標識（質問項目ＩＤ）のそれぞれに対応付けられた前記回答番号と、前記属性識別標識（属性ＩＤ）を前記印刷発注装置（３０）から受信するサンプル要求指令受信手段（ステップＳ４１０：図１１）と、当該サンプル要求指令受信手段で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、前記サンプル要求指令受信手段（ステップＳ４１０：図１１）で受信した前記属性識別標識（属性ＩＤ）に対応付けられて前記サンプル指数登録手段（サンプルＤＢ１２ｄ：図８）に登録されている前記サンプル識別標識（サンプルＩＤ）の中から、前記発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を抽出するサンプル抽出手段（ステップＳ４１２〜ステップＳ４１３：図１１）と、該サンプル抽出手段で抽出した前記サンプル識別標識（サンプルＩＤ）で特定される前記印刷物のサンプルのデータを前記印刷発注装置（３０）へ送信するサンプル送信手段（ステップＳ４１４：図１１）と、を備えたことを特徴とする。
【００１０】
また、請求項２又は請求項３に記載の印刷物作成システムにおいて、前記印刷受注装置（１０）は、前記質問項目に対して前記発注者が選択した回答項目を示す回答番号を、当該発注者を特定する発注者識別情報（発注者ＩＤ）に対応付けて登録するアンケート結果登録手段（アンケートＤＢ１２ｃ：図６）をさらに備え、前記アンケート送信手段（ステップＳ３１５：図７）は、前記質問項目識別標識（質問項目ＩＤ）と、当該質問項目識別標識（質問項目ＩＤ）に対応付けられた質問項目及び回答項目とともに、前記アンケート結果登録手段（アンケートＤＢ１２ｃ：図６）に登録されている前記回答番号を、前記印刷発注装置（３０）へ送信し、前記サンプル要求指令受信手段（ステップＳ４１０：図１１）は、前記発注者識別情報（発注者ＩＤ）と、複数の前記質問項目識別標識（質問項目ＩＤ）と、当該複数の質問項目識別標識（質問項目ＩＤ）のそれぞれに対応付けられた前記回答番号を、前記印刷発注装置（３０）から受信し、受信した前記発注者識別情報（発注者ＩＤ）と前記回答番号とを対応付けて前記アンケート結果登録手段（アンケートＤＢ１２ｃ：図６）の更新を行うと好適である。
【００１１】
また請求項２乃至請求項４のうちいずれか１つに記載の印刷物作成システムにおいて、前記サンプル抽出手段（ステップＳ４１２〜ステップＳ４１３：図１１）は、前記サンプル識別標識（サンプルＩＤ）を複数抽出すると好適である。
【００１２】
また、上記課題を解決するために、請求項６に記載の印刷受注装置は、印刷物の作成の受注を行う印刷受注装置（１０）において、印刷物のサンプルのデザインの特徴を示すデザイン特徴指数（Ｉｘ，Ｉｙ，Ｉｚ）が当該サンプルに対応付けられて登録されたサンプル指数登録手段（サンプルＤＢ１２ｄ：図８）と、発注者に対する質問への回答に対する指数ポイント（ｉｘ，ｉｙ，ｉｚ）が規定された指数ポイント登録手段（指数算出ＤＢ１２ｙ：図１０）と、発注者に対する質問を送信するアンケート送信手段（ステップＳ３１５：図７）と、発注者に対する質問への回答を受信するサンプル要求指令受信手段（ステップＳ４１０：図１１）と、当該サンプル要求指令受信手段で受信した回答に対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、該発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）のサンプルを、前記サンプル指数登録手段（サンプルＤＢ１２ｄ：図８）から抽出するサンプル抽出手段（ステップＳ４１２〜ステップＳ４１３：図１１）と、該サンプル抽出手段で抽出したサンプルのデータを送信するサンプル送信手段（ステップＳ４１４：図１１）と、を備えたことを特徴とする。
【００１３】
また、上記課題を解決するために、請求項７に記載の印刷受注装置は、印刷物の作成の受注を行う印刷受注装置（１０）において、印刷物のサンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、前記質問項目識別標識（質問項目ＩＤ）と、当該前記質問項目識別標識（質問項目ＩＤ）に対応付けられた質問項目及び回答項目を送信するアンケート送信手段（ステップＳ３１５：図７）と、複数の前記質問項目識別標識（質問項目ＩＤ）と、当該複数の質問項目識別標識（質問項目ＩＤ）のそれぞれに対応付けられた前記回答番号を受信するサンプル要求指令受信手段（ステップＳ４１０：図１１）と、当該サンプル要求指令受信手段で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、該発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を、前記サンプル指数登録手段（サンプルＤＢ１２ｄ：図８）から抽出するサンプル抽出手段（ステップＳ４１２〜ステップＳ４１３：図１１）と、該サンプル抽出手段で抽出した前記サンプル識別標識（サンプルＩＤ）で特定される前記印刷物のサンプルのデータを送信するサンプル送信手段（ステップＳ４１４：図１１）と、を備えたことを特徴とする。
【００１４】
また上記課題を解決するために、請求項８に記載の印刷受注装置は、印刷物のサンプルの属性を示す属性識別標識（属性ＩＤ）及び当該サンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、前記質問項目識別標識（質問項目ＩＤ）と、前記質問項目識別標識（質問項目ＩＤ）に対応付けられた質問項目及び回答項目を送信するアンケート送信手段（ステップＳ３１５：図７）と、複数の前記質問項目識別標識（質問項目ＩＤ）と、当該複数の質問項目識別標識（質問項目ＩＤ）のそれぞれに対応付けられた前記回答番号と、前記属性識別標識（属性ＩＤ）を受信するサンプル要求指令受信手段（ステップＳ４１０：図１１）と、当該サンプル要求指令受信手段で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出手段（ステップＳ４１１：図１１）と、前記サンプル要求指令受信手段（ステップＳ４１０：図１１）で受信した前記属性識別標識（属性ＩＤ）に対応付けられて前記サンプル指数登録手段（サンプルＤＢ１２ｄ：図８）に登録されている前記サンプル識別標識（サンプルＩＤ）の中から、前記発注者特徴指数算出手段（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を抽出するサンプル抽出手段（ステップＳ４１２〜ステップＳ４１３：図１１）と、該サンプル抽出手段で抽出した前記サンプル識別標識（サンプルＩＤ）で特定される前記印刷物のサンプルのデータを送信するサンプル送信手段（ステップＳ４１４：図１１）と、を備えたことを特徴とする。
【００１５】
また、請求項７又は請求項８に記載の印刷受注装置おいて、前記質問項目に対して前記発注者が選択した回答項目を示す回答番号を、当該発注者を特定する発注者識別情報（発注者ＩＤ）に対応付けて登録するアンケート結果登録手段（アンケートＤＢ１２ｃ：図６）をさらに備え、前記アンケート送信手段（ステップＳ３１５：図７）は、前記質問項目識別標識（質問項目ＩＤ）と、当該質問項目識別標識（質問項目ＩＤ）に対応付けられた質問項目及び回答項目とともに、前記アンケート結果登録手段（アンケートＤＢ１２ｃ：図６）に登録されている前記回答番号を送信し、前記サンプル要求指令受信手段（ステップＳ４１０：図１１）は、前記発注者識別情報（発注者ＩＤ）と、複数の前記質問項目識別標識（質問項目ＩＤ）と、当該複数の質問項目識別標識（質問項目ＩＤ）のそれぞれに対応付けられた前記回答番号を受信し、受信した前記発注者識別情報（発注者ＩＤ）と前記回答番号とを対応付けて前記アンケート結果登録手段（アンケートＤＢ１２ｃ：図６）の更新を行うと好適である。
【００１６】
また請求項７乃至請求項９のうちいずれか１つに記載の印刷受注装置において、前記サンプル抽出手段（ステップＳ４１２〜ステップＳ４１３：図１１）は、前記サンプル識別標識（サンプルＩＤ）を複数抽出すると好適である。
【００１７】
また、上記課題を解決するために、請求項１１に記載の印刷受注プログラムは、印刷物のサンプルのデザインの特徴を示すデザイン特徴指数（Ｉｘ，Ｉｙ，Ｉｚ）が当該サンプルに対応付けられて登録されたサンプル指数登録手段（サンプルＤＢ１２ｄ：図８）と、発注者に対する質問への回答に対する指数ポイント（ｉｘ，ｉｙ，ｉｚ）が規定された指数ポイント登録手段（指数算出ＤＢ１２ｙ：図１０）と、を備えて印刷物の作成の受注を行う印刷受注装置（１０）に、発注者に対する質問を送信するアンケート送信工程（ステップＳ３１５：図７）と、発注者に対する質問への回答を受信するサンプル要求指令受信工程（ステップＳ４１０：図１１）と、当該サンプル要求指令受信工程で受信した回答に対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出工程（ステップＳ４１１：図１１）と、該発注者特徴指数算出工程（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）のサンプルを、前記サンプル指数登録手段（サンプルＤＢ１２ｄ：図８）から抽出するサンプル抽出工程（ステップＳ４１２〜ステップＳ４１３：図１１）と、該サンプル抽出工程で抽出したサンプルのデータを送信するサンプル送信工程（ステップＳ４１４：図１１）と、を実行させることを特徴とする。
【００１８】
また、上記課題を解決するために、請求項１２に記載の印刷受注プログラムは、印刷物のサンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、を備えて印刷物の作成の受注を行う印刷受注装置（１０）に、前記質問項目識別標識（質問項目ＩＤ）と、当該前記質問項目識別標識（質問項目ＩＤ）に対応付けられた質問項目及び回答項目を送信するアンケート送信工程（ステップＳ３１５：図７）と、複数の前記質問項目識別標識（質問項目ＩＤ）と、当該複数の質問項目識別標識（質問項目ＩＤ）のそれぞれに対応付けられた前記回答番号を受信するサンプル要求指令受信工程（ステップＳ４１０：図１１）と、当該サンプル要求指令受信工程で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出工程（ステップＳ４１１：図１１）と、該発注者特徴指数算出工程（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を、前記サンプル指数登録手段（サンプルＤＢ１２ｄ：図８）から抽出するサンプル抽出工程（ステップＳ４１２〜ステップＳ４１３：図１１）と、該サンプル抽出工程で抽出した前記サンプル識別標識（サンプルＩＤ）で特定される前記印刷物のサンプルのデータを送信するサンプル送信工程（ステップＳ４１４：図１１）と、を実行させることを特徴とする。
【００１９】
また上記課題を解決するために、請求項１３に記載の印刷受注プログラムは、印刷物のサンプルの属性を示す属性識別標識（属性ＩＤ）及び当該サンプルのデザインの特徴を示すデザイン特徴指数（Ｉｘ，Ｉｙ，Ｉｚ）が当該サンプルを特定するサンプル識別標識（サンプルＩＤ）に対応付けられて登録されたサンプル指数登録手段（サンプルＤＢ１２ｄ：図８）と、発注者に対する質問項目を特定する質問項目識別標識（質問項目ＩＤ）と当該質問項目に対する回答項目を示す回答番号との組合せに対する指数ポイント（ｉｘ，ｉｙ，ｉｚ）が規定された指数ポイント登録手段（指数算出ＤＢ１２ｙ：図１０）と、を備えて印刷物の作成の受注を行う印刷受注装置（１０）に、前記質問項目識別標識（質問項目ＩＤ）と、前記質問項目識別標識（質問項目ＩＤ）に対応付けられた質問項目及び回答項目を送信するアンケート送信工程（ステップＳ３１５：図７）と、複数の前記質問項目識別標識（質問項目ＩＤ）と、当該複数の質問項目識別標識（質問項目ＩＤ）のそれぞれに対応付けられた前記回答番号と、前記属性識別標識（属性ＩＤ）を受信するサンプル要求指令受信工程（ステップＳ４１０：図１１）と、当該サンプル要求指令受信工程で受信した前記質問項目識別標識（質問項目ＩＤ）及び前記回答番号の各組合せに対応して前記指数ポイント登録手段（指数算出ＤＢ１２ｙ：図１０）に登録されている前記指数ポイント（ｉｘ，ｉｙ，ｉｚ）に基づいて、前記発注者の好みを示す発注者特徴指数（Ｓｉｘ，Ｓｉｙ，Ｓｉｚ）を算出する発注者特徴指数算出工程（ステップＳ４１１：図１１）と、前記サンプル要求指令受信工程（ステップＳ４１０：図１１）で受信した前記属性識別標識（属性ＩＤ）に対応付けられて前記サンプル指数登録手段（サンプルＤＢ１２ｄ：図８）に登録されている前記サンプル識別標識（サンプルＩＤ）の中から、前記発注者特徴指数算出工程（ステップＳ４１１：図１１）で算出した前記発注者特徴指数（Ｓｉｘ，Ｓｉｙ，Ｓｉｚ）に近い前記デザイン特徴指数（Ｉｘ，Ｉｙ，Ｉｚ）に対応付けられて登録されている前記サンプル識別標識（サンプルＩＤ）を抽出するサンプル抽出工程（ステップＳ４１２〜ステップＳ４１３：図１１）と、該サンプル抽出工程で抽出した前記サンプル識別標識（サンプルＩＤ）で特定される前記印刷物のサンプルのデータを送信するサンプル送信工程（ステップＳ４１４：図１１）と、を実行させることを特徴とする。
【００２０】
また、請求項１２又は請求項１３に記載の印刷受注プログラムにおいて、印刷受注装置（１０）が、前記質問項目に対して前記発注者が選択した回答項目を示す回答番号を、当該発注者を特定する発注者識別情報（発注者ＩＤ）に対応付けて登録するアンケート結果登録手段（アンケートＤＢ１２ｃ：図６）をさらに備え、前記アンケート送信工程（ステップＳ３１５：図７）では、前記質問項目識別標識（質問項目ＩＤ）と、当該質問項目識別標識（質問項目ＩＤ）に対応付けられた質問項目及び回答項目とともに、前記アンケート結果登録手段（アンケートＤＢ１２ｃ：図６）に登録されている前記回答番号を送信させ、前記サンプル要求指令受信工程（ステップＳ４１０：図１１）では、前記発注者識別情報（発注者ＩＤ）と、複数の前記質問項目識別標識（質問項目ＩＤ）と、当該複数の質問項目識別標識（質問項目ＩＤ）のそれぞれに対応付けられた前記回答番号を受信し、受信した前記発注者識別情報（発注者ＩＤ）と前記回答番号とを対応付けて前記アンケート結果登録手段（アンケートＤＢ１２ｃ：図６）の更新を実行させると好適である。
【００２１】
また請求項１２乃至請求項１４のうちいずれか１つに記載の印刷受注プログラムにおいて、前記サンプル抽出工程（ステップＳ４１２〜ステップＳ４１３：図１１）では、前記サンプル識別標識（サンプルＩＤ）を複数抽出させると好適である。
【００２２】
以上のように、本発明によれば、印刷受注装置（１０）が、受信した回答に対応して登録されている指数ポイント（ｉｘ，ｉｙ，ｉｚ）に基づいて、発注者の好みを示す発注者特徴指数（Ｓｉｘ，Ｓｉｙ，Ｓｉｚ）を算出し、当該算出した発注者特徴指数（Ｓｉｘ，Ｓｉｙ，Ｓｉｚ）に近いデザイン特徴指数（Ｉｘ，Ｉｙ，Ｉｚ）のサンプルを抽出する構成を備えているため、発注者の好みに応じた印刷物のサンプルを提示することが可能となる。
【００２３】
さらに、印刷受注装置（１０）が、属性識別標識（属性ＩＤ）に対応付けられてサンプル指数登録手段（サンプルＤＢ１２ｄ：図８）に登録されているサンプルの中からのサンプルを抽出する構成を備えることによって、発注者の好みに応じた印刷物のサンプルを、そのサンプルの属性毎に提示することが可能となる。
【００２４】
また、印刷受注装置（１０）が、受信した発注者識別情報（発注者ＩＤ）と回答番号とを対応付けてアンケート結果登録手段（アンケートＤＢ１２ｃ：図６）の更新を行う構成を備えることによって、発注者の回答の経歴を登録しておくことが可能となる。
【００２５】
また、印刷受注装置（１０）が、サンプル識別標識（サンプルＩＤ）を複数抽出する構成を備えることによって、発注者の好みに応じた印刷物のサンプルを、複数提示することが可能となる。
【発明の効果】
【００２６】
本発明によれば、印刷受注装置が、受信した回答に対応して登録されている指数ポイントに基づいて、発注者の好みを示す発注者特徴指数を算出し、当該算出した発注者特徴指数に近いデザイン特徴指数のサンプルを抽出する構成を備えているため、発注者の好みに応じた印刷物のサンプルを提示することが可能となる。したがって、顧客の満足度の高い印刷物を提供することができる。
【発明を実施するための最良の形態】
【００２７】
以下、本発明の一実施形態を図面に基づいて説明する。なお、以下に説明する構成は本発明を限定するものでなく、本発明の趣旨の範囲内で種々改変することができるものである。
【００２８】
本発明に係る印刷物作成システムＳは、チラシ，パンフレット，カタログ，会社案内，ポスター，名刺などの各種印刷物の発注や受注を、情報技術を応用して行うものである。各種印刷物の発注を行う発注者は、個人や法人などである。例えば、個人商店主や、飲食店、商品の販売会社等が、発注者として考えられる。印刷物の受注を行う受注者も、個人や法人などである。例えば、デザイナーや、印刷物のデザインの提供と作成を行う印刷物作成業者が、受注者として考えられる。
【００２９】
図１は、印刷物作成システムＳの全体構成を示す図である。図１に示すように、本実施形態の印刷物作成システムＳは、印刷受注装置１０と、印刷発注装置３０と、印刷業者装置４０と、通信回線１とで構築されている。通信回線１は、例えばインターネット、ＶＰＮ（Ｖｉｒｔｕａｌ  Ｐｒｉｖａｔｅ  Ｎｅｔｗｏｒｋ）、専用線網、電話網（携帯電話網、ＩＰ電話網等を含む）、ＬＡＮ（Ｌｏｃａｌ  Ａｒｅａ  Ｎｅｔｗｏｒｋ）等から構成される。
【００３０】
印刷発注装置３０及び印刷業者装置４０は、印刷受注装置１０と通信回線１を介して接続されている。印刷受注装置１０は受注者によって操作されるコンピュータ等で構成され、印刷発注装置３０は発注者によって操作されるコンピュータ等で構成されている。印刷業者装置４０は、受注者の指示にしたがって、印刷物の印刷を行う印刷業者によって操作されるコンピュータ等で構成されている。なお、本実施形態では、受注者と印刷業者が別である例を説明するが、受注者と印刷業者が同一であってもよい。この場合には、一台のコンピュータ等で印刷受注装置１０と印刷業者装置４０の役目を果たすこともできる。
【００３１】
本実施形態の印刷受注装置１０は、サーバーとしての機能を果たし、印刷発注装置３０及び印刷業者装置４０はクライアントとしての機能を果たす。
因みに、本実施形態における「コンピュータ」とは、演算装置を備えた情報処理装置のすべてを含む意味である。例えば、スーパーコンピュータ、汎用コンピュータ、オフィスコンピュータ、制御用コンピュータ、ワークステーション、パソコンのほか、携帯情報端末、演算装置を備えた携帯電話、ウェアラブルコンピュータ等をも含む。
【００３２】
図２は、本実施形態における印刷受注装置１０の構成を示すブロック図である。
印刷受注装置１０は、受注側制御部１１と、入力部１３と、出力部１４と、通信部１５とを有して構成されている。さらに、印刷受注装置１０は、ハードディスク等の記憶手段１２を備え、この記憶手段１２に、発注者ＤＢ１２ａ，個別デザインＤＢ１２ｂ，アンケートＤＢ１２ｃ，サンプルＤＢ１２ｄ，アンケート一覧ＤＢ１２ｘ，指数算出ＤＢ１２ｙ等のデータベースが構築されている。印刷受注装置１０の各データベースの詳細は後述する。また、記憶手段１２には、後述の「個別デザイン」や「サンプル」のファイルが、画像データとして記憶されている。
【００３３】
受注側制御部１１は、ＣＰＵ（Ｃｅｎｔｒａｌ  Ｐｒｏｓｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）等を有して構成されている。ＲＯＭまたは記憶手段１２には、後述の各処理を実行するためのプログラムが記憶されている。受注側制御部１１は、ＲＯＭや記憶手段１２に記憶されたプログラムに基づいて後述の各処理を行う。なお、後述の各処理では、必要に応じて、ＲＡＭにデータを記憶し、またＲＡＭからデータを読出しながら、処理を行う。各処理を行うＣＰＵ，ＲＯＭ，ＲＡＭ，記憶手段１２が、本発明の指数ポイント登録手段、アンケート送信手段、サンプル要求指令受信手段、発注者特徴指数算出手段、サンプル抽出手段、サンプル送信手段として機能する。
【００３４】
入力部１３は、受注者が印刷受注装置１０に対して各種のデータの入力（又は指示）を行うために用いられるものであり、例えばキーボード，マウス等である。出力部１４は、受注者に対して各種の情報を示すために用いられるものであり、受注側制御部１１で制御される表示装置（例えば液晶ディスプレイ）である。通信部１５は、印刷発注装置３０，印刷業者装置４０と通信回線１を介してデータ（情報）の送受信を行うための通信装置（例えばルータ）である。
【００３５】
印刷発注装置３０や印刷業者装置４０も、印刷受注装置１０と同様にＣＰＵ等から成る側制御部と、キーボード，マウス等から成る入力部と、表示装置等から成る出力部と、通信装置（例えばルータ）等から成る通信部と、ハードディスク等の記憶手段を備えている。
【００３６】
次に、本実施形態の印刷物作成システムを用いて、発注者が受注者にチラシの作成を発注して、受注者が印刷物を作成する際の業務の流れについて説明する。
図３は、本実施形態の印刷物作成システムを用いて印刷物の作成を受注して、印刷物を作成する際の業務フローを示している。印刷物の作成の受注と作成の業務は、「発注者の登録」（ステップＳ１），「個別デザインの登録」（ステップＳ２），「発注情報の収集（アンケートの実施も含む）」（ステップＳ３），「候補サンプルの提示と選択」（ステップＳ４），「サンプルの加工」（ステップＳ５），「印刷ファイルの作成」（ステップＳ６），「印刷ファイルの提示と決定」（ステップＳ７），「発注内容の確認」（ステップＳ８），「印刷」（ステップＳ９）の各業務が遂行されることで行われる。
【００３７】
（発注者の登録）
「発注者の登録」（ステップＳ１）の業務では、発注者に関する情報である「発注者情報」が登録される。「発注者情報」としては、例えば、発注者の「名前（名称）」，「パスワード」，「連絡先（電話番号や住所）」，「電子メールアドレス」，「クレジットカード番号」「利用回数」，「履歴」，「備考」等がある。「発注者情報」は、発注者を特定する「発注者ＩＤ」に対応付けて発注者ＤＢ１２ａへ登録される。「発注者ＩＤ」は、本発明の発注者識別情報に相当する。
【００３８】
印刷物作成システムＳを利用しようとする発注者は、印刷発注装置３０の入力部を操作して、発注者の「名前（名称）」，「パスワード」，「連絡先（電話番号や住所）」，「電子メールアドレス」，「クレジットカード番号」等を入力する。入力された情報は、印刷発注装置３０から印刷受注装置１０へ送信される。印刷受注装置１０は、受信した「名前（名称）」，「パスワード」，「連絡先（電話番号や住所）」，「電子メールアドレス」，「クレジットカード番号」等に対して「発注者ＩＤ」を付与して、この「発注者ＩＤ」と、受信した「名前（名称）」，「パスワード」，「連絡先（電話番号や住所）」，「電子メールアドレス」，「クレジットカード番号」等を対応付けて発注者ＤＢ１２ａへ登録する。
【００３９】
なお、「利用回数」とは、印刷物作成システムＳを利用して印刷物の発注をした回数を表す。
また、「履歴」とは、印刷物作成システムＳを利用して印刷物の発注をした日時と、そのとき作成した印刷物のファイル名（後述の「印刷物ファイル名」）である。本実施形態では、後述のように、印刷される印刷物は一旦電子データとして作成され、この電子データを一意に表す「印刷物ファイル名」が付与される。この「印刷物ファイル名」が「履歴」として登録される。「利用回数」や「履歴」は、当初は登録されることはなく、発注者が印刷物作成システムＳを利用して印刷物の発注をした後に登録される情報である。「履歴」のデータを用いれば、２度目以降に印刷物の発注を行うときに、発注者の手間を省くことができる。
「備考」とは、発注者に関して特記しておくべき情報である。受注者が入力部１３を操作して、必要な情報を登録する。
【００４０】
（個別デザインの登録）
「個別デザインの登録」（ステップＳ２）の業務では、発注者に固有の「個別デザイン」が登録される。「個別デザイン」とは、例えば、発注者の会社のロゴデザインや、商標や、お気に入りの文字や、店舗の地図や、商品の画像などである。本実施形態では、発注者は、「個別デザイン」の画像データを印刷発注装置３０から印刷受注装置１０へ送信して、印刷受注装置１０に「個別デザイン」を登録しておくことができる。
【００４１】
本実施形態では、個別デザインＤＢ１２ｂによって「個別デザイン」が管理されている。すなわち、個別デザインＤＢ１２ｂには、「発注者ＩＤ」と「デザインファイル名」が対応付けられて登録されている。「デザインファイル名」は、記憶手段１２に保存されている「個別デザイン」のファイル名である。発注者が、「発注者ＩＤ」と共に「個別デザイン」の画像データを印刷発注装置３０から印刷受注装置１０へ送信すると、「個別デザイン」の画像データを受信した印刷受注装置１０は、受信した「個別デザイン」の画像データに対して「デザインファイル名」を付与して、この「デザインファイル名」で画像データを記憶手段１２に保存する。このとき、印刷受注装置１０は、受信した「発注者ＩＤ」に対応付けて、「デザインファイル名」を個別デザインＤＢ１２ｂへ登録する。発注者は、この「個別デザインの登録」（ステップＳ２）の業務で登録された「個別デザイン」を適宜利用して、印刷物を作成することができる。
【００４２】
（発注情報の収集）
「発注情報の収集（アンケートの実施も含む）」（ステップＳ３）の業務では、発注者が印刷物の発注を行うに際しての、「発注情報」と、アンケートの「回答」が登録される。「発注情報」とは、印刷物の「種類」，「ページ数」，「基本色」，「色数」等の情報である。「回答」とは、受注者が発注者の好みを把握するために行うアンケートに対する発注者の回答である。「発注情報」や「回答」は、「発注者ＩＤ」に対応付けてアンケートＤＢ１２ｃへ登録される。なお、「発注情報の収集（アンケートの実施も含む）」の業務において、印刷受注装置１０は、後述のアンケート処理を実行する。
【００４３】
まず、「発注情報の収集（アンケートの実施も含む）」の業務において必要となる、アンケート画面や、アンケート一覧ＤＢ１２ｘや、アンケートＤＢ１２ｃについて、図４乃至図６を用いて説明する。
【００４４】
図４は、アンケート画面を示す説明図である。印刷発注装置３０は、ＷＥＢブラウザを備えている。発注者が印刷発注装置３０を操作して受注者のＷＥＢページにアクセスし、印刷物の作成の発注を行おうとすると、印刷受注装置１０から印刷発注装置３０へデータが送信され、印刷発注装置３０のＷＥＢブラウザによって、図４に示すアンケート画面が、印刷発注装置３０の表示装置に表示される。アンケート画面は、印刷物を作成するにあたって、受注者が発注者の好みを把握するために質問するアンケートを表示するものであり、発注者は、この画面にしたがってアンケートに回答する。
【００４５】
図４に示すように、アンケート画面は、複数のアンケート表示欄Ａａ０を備える。アンケート表示欄Ａａ０は、質問項目表示欄Ａａ０１と、回答項目表示欄Ａａ０２−１〜３と、チェックボックス欄Ａａ０３−１〜３で構成されている。さらに、アンケート画面は、完了ボタンＡａ４と、リセットボタンＡａ５を備える。
【００４６】
質問項目表示欄Ａａ０１には、「質問項目」が表示される。「質問項目」は、発注者に対する質問内容である。回答項目表示欄Ａａ０２−１〜３には、「回答項目」が表示される。「回答項目」は、発注者の回答を選択肢で表した内容である。本実施形態では、アンケートとして、複数の「質問項目」が用意されていて、各「質問項目」に複数の「回答項目」が用意されている。なお、各「質問項目」には、識別標識として「質問項目ＩＤ」が付与され、各「質問項目」は、この「質問項目ＩＤ」で特定される。「質問項目ＩＤ」は、本発明の質問項目識別標識に相当する。
【００４７】
アンケートの内容（「質問項目」及び「回答項目」）は、作成しようとする印刷物の「属性」に応じて定められて、印刷受注装置１０の記憶手段１２に記憶されている。印刷物の「属性」は、様々な観点から定義付けることができる。例えば、印刷物が用いられる業種（商品の種類）、によって「属性」を定めることができる。すなわち、例えば、「属性」として化粧品，飲食物，雑貨等を定義して、化粧品に用いられるチラシを作成する際のアンケートの内容、飲食物に用いられるチラシを作成する際のアンケートの内容、雑貨品に用いられるチラシを作成する際のアンケートの内容等が記憶手段１２に記憶されている。また、チラシ，パンフレット，カタログ，会社案内，ポスター，名刺等の印刷物の種類によって「属性」を定めることもできる。他にも、印刷物が用いられる業種（商品の種類）と、印刷物の種類との組合せによって「属性」を定義することもできる。
【００４８】
各「属性」には、その属性を示す識別標識として「属性ＩＤ」が付与されている。「属性ＩＤ」は、本発明の属性識別標識に相当する。印刷受注装置１０の記憶手段１２には、「属性ＩＤ」と「質問項目ＩＤ」の対応関係を規定する属性表（不図示）が記憶されている。この属性表（不図示）には、各「属性ＩＤ」に対応して、その「属性」に対応するアンケートの内容を示す複数の「質問項目ＩＤ」が登録されている。
【００４９】
図４では、作成する印刷物の「属性」が、化粧品，パンフレットである場合の例を示している。この「属性」に対する具体的なアンケートの内容（「質問項目」，「回答項目」）は、属性表や、後述のアンケート一覧ＤＢ１２ｘ（図５参照）で定められる。例えば、「質問項目」として、図４に示したように、『制作したいパンフレットの雰囲気は？』，『商品の最大のアピールポイントは？』，『主にどのようなシーンで使われる商品ですか？』，『どのようなポジションの商品ですか？』，『商品の購買層（またはパンフレットを見ていただく人）の年代は？』，『ビジネスで成功するために一番必要なものは？』等が設定される。また、「回答項目」としては、例えば「質問項目」の『制作したいパンフレットの雰囲気は？』に対して、『明るく楽しい感じ』，『シンプルで落ち着いた感じ』，『どちらともいえない』等が設定される。
【００５０】
チェックボックス欄Ａａ０３−１〜３は、回答項目表示欄Ａａ０２−１〜３の「回答項目」に対応して設けられている。発注者が「回答項目」を選択する場合、選択する「回答項目」に対応するチェックボックス欄Ａａ０３−１〜３がチェック表示（図４中では黒塗り表示）される。
完了ボタンＡａ４は、アンケートの回答を終えたときに、発注者が画面上で操作するボタンである。
リセットボタンＡａ５は、総てのチェックボックス欄Ａａ０３−１〜３のチェック表示をクリアして、チェックを行わないで表示（図４中では白塗り表示）する場合に、発注者が画面上で操作するボタンである。
【００５１】
図５は、アンケート一覧ＤＢ１２ｘの一部を表として示している。アンケート一覧ＤＢ１２ｘは、アンケートの内容を定めるものである。本実施形態のアンケート一覧ＤＢ１２ｘは、「質問項目」と、「質問項目」に対する「回答項目」の組合せを規定している。本実施形態のアンケート一覧ＤＢ１２ｘは、質問項目ＩＤフィールドＦｘ０１と、質問項目フィールドＦｘ０２と、３個の回答項目フィールドＦｘ０３−１〜３を備えたレコードの集合で構成され、同一レコード内の各フィールドが相互に対応付けられている。
【００５２】
質問項目ＩＤフィールドＦｘ０１には、「質問項目ＩＤ」が記憶されている。
質問項目フィールドＦｘ０２には、質問項目ＩＤフィールドＦｘ０１の「質問項目ＩＤ」で特定される「質問項目」が記憶されている。
回答項目フィールドＦｘ０３−１〜３には、質問項目ＩＤフィールドＦｘ０１の「質問項目ＩＤ」で特定される「質問項目」に対する「回答項目」が記憶されている。本実施形態では、各「質問項目」に対して３つの「回答項目」が設定されている例を示しているが、各「質問項目」に対する「回答項目」の数は、特に限定されるものではない。
【００５３】
図６は、アンケートＤＢ１２ｃの一部を表として示している。アンケートＤＢ１２ｃは、アンケートに対する発注者の回答内容を登録しておくものであり、本発明のアンケート結果登録手段に相当する。図６に示すように、アンケートＤＢ１２ｃは、発注者ＩＤフィールドＦｃ０１と、ｎ個（ｎは自然数）の質問項目ＩＤフィールドＦｃ０２−１〜ｎと、ｎ個の回答番号フィールドＦｃ０３−１〜ｎを備えたレコードの集合で構成され、同一レコード内の各フィールドが相互に対応付けられている。
【００５４】
発注者ＩＤフィールドＦｃ０１には、「発注者ＩＤ」が登録される。
質問項目ＩＤフィールドＦｃ０２−１〜ｎには、「質問項目ＩＤ」が登録されている。
【００５５】
回答番号フィールドＦｃ０３−１〜ｎには、各「質問項目ＩＤ」で特定される「質問項目」に対して、「発注者ＩＤ」で特定される発注者が選択した「回答項目」を示す「回答番号」が登録されている。回答フィールドＦｃ０３−１に質問項目ＩＤフィールドＦｃ０２−１が対応し、回答フィールドＦｃ０３−２に質問項目ＩＤフィールドＦｃ０２−２が対応し、以下同様に、回答フィールドＦｃ０３−ｎと質問項目ＩＤフィールドＦｃ０２−ｎが対応している。
【００５６】
「回答番号」は、「質問項目」に対する回答内容を示すものであり、その回答内容は、上述の「回答項目」（図５参照）で具体的に特定される。『１』は、アンケート一覧ＤＢ１２ｘの回答項目フィールドＦｘ０３−１に記憶されている「回答項目」に対応し、『２』は、回答項目フィールドＦｘ０３−２に記憶されている「回答項目」に対応し、『３』は、回答項目フィールドＦｘ０３−３に記憶されている「回答項目」に対応している。発注者が、「質問項目ＩＤ」で特定される「質問項目」に回答した経歴がない場合には、「回答番号」として『０』が登録されている。
【００５７】
次に、「発注情報の収集（アンケートの実施も含む）」の業務において、印刷受注装置１０が行うアンケート処理について、図７を用いて説明する。図７のアンケート処理では、上述の属性表（不図示）、アンケート一覧ＤＢ１２ｘ（図５参照）、アンケートＤＢ１２ｃ（図６参照）のデータが適宜用いられる。
【００５８】
図７は、アンケート画面を表示するために、印刷受注装置１０が行うアンケート処理を示すフローチャートである。アンケート処理は、印刷発注装置３０から印刷物作成開始指令が送信されることで開始される。
【００５９】
印刷物作成開始指令は、印刷発注装置３０から印刷受注装置１０へ送信される指令であって、印刷発注装置３０が印刷受注装置１０に対して印刷物を作成するための処理の開始を依頼する指令である。印刷物作成開始指令には、「発注者ＩＤ」と「属性ＩＤ」が含まれる。印刷発注装置３０の表示装置に表示されている発注操作開始用のＷＥＢページ（不図示）上で、発注者が属性を選択し、「発注者ＩＤ」を入力すると、印刷発注装置３０は、当該選択された属性を示す「属性ＩＤ」と「発注者ＩＤ」を含む印刷物作成開始指令を、印刷受注装置１０へ送信する。「発注者ＩＤ」や、このとき選択された「属性ＩＤ」は、後の処理のために印刷発注装置３０のＲＡＭに記憶される
【００６０】
まず、ステップＳ３１０では、印刷発注装置３０から送信された「属性ＩＤ」と「発注者ＩＤ」を含む印刷物作成開始指令を受信する。
続いて、ステップＳ３１１では、アンケートＤＢ１２ｃ（図６参照）を検索して、印刷物作成開始指令に含まれる「発注者ＩＤ」に対応するレコードを抽出する。
続いて、ステップＳ３１２では、印刷物作成開始指令に含まれる「属性ＩＤ」に対応する「質問項目ＩＤ」を記憶手段１２の属性表（不図示）から抽出する。
【００６１】
続いて、ステップＳ３１３では、ステップＳ３１２で抽出した「質問項目ＩＤ」に対応する「回答番号」を、Ｓ３１１で抽出したレコード（図６参照）から抽出する。
続いて、ステップＳ３１４では、ステップＳ３１２で抽出した「質問項目ＩＤ」に対応する「質問項目」，「回答項目」をアンケート一覧ＤＢ１２ｘ（図５参照）から抽出する。
【００６２】
続いて、ステップＳ３１５では、ステップＳ３１４で抽出した「質問項目」，「回答項目」と、ステップＳ３１３で抽出した「回答番号」を、それぞれの「質問項目ＩＤ」に対応付けて、印刷発注装置３０に送信し、処理を終了する。ステップＳ３１５が行われることで、本発明のアンケート送信工程が実行され、印刷発注装置３０は、「質問項目ＩＤ」と、当該「質問項目ＩＤ」に対応付けられた「質問項目」，「回答項目」，「回答番号」を受信する。
【００６３】
以上説明した、印刷受注装置１０におけるアンケート処理によって、「質問項目ＩＤ」と、当該「質問項目ＩＤ」に対応付けられた「質問項目」，「回答項目」，「回答番号」が印刷発注装置３０へ送信される。印刷発注装置３０では、受信した「質問項目」，「回答項目」，「回答番号」に基づいて、ＷＥＢブラウザによって表示装置に、上述のアンケート画面（図４参照）を表示する。
【００６４】
印刷発注装置３０は、受信した「質問項目」の内容を質問項目表示欄Ａａ０１に表示し、受信した「回答項目」の内容を回答項目表示欄Ａａ０２−１〜３に表示し、受信した「回答番号」に応じてチェックボックス欄Ａａ０３−１〜３の表示を行う。すなわち、「回答番号」に対応する「回答項目」に対応しているチェックボックス欄Ａａ０３をチェックして表示（図４中では黒塗り表示）する。
【００６５】
例えば、ある「質問項目ＩＤ」に対応している「回答番号」が『１』ならば、当該「質問項目ＩＤ」に対応する「回答項目」のうち、『１』に対応する「回答項目」に対応しているチェックボックス欄Ａａ０３−１をチェックして表示（図４中では黒塗り表示）して、他のチェックボックス欄Ａａ０３−２，Ａａ０３−３にはチェックを行わないで表示（図４中では白塗り表示）する。
なお、ある「質問項目ＩＤ」に対応している「回答番号」が『０』ならば、当該「質問項目ＩＤ」に対応する「回答項目」に対応しているチェックボックス欄Ａａ０３−１〜３にはチェックを行わないで表示（図４中では白塗り表示）する。
【００６６】
発注者は、アンケート画面に表示されたチェックボックス欄Ａａ０３−１にチェックを入れながら、アンケートに回答する。勿論、デフォルトで表示されているチェックボックス欄Ａａ０３−１〜３の表示を変更することもできる。アンケートへの回答を終えたら、完了ボタンＡａ４を操作する。
【００６７】
印刷発注装置３０は、完了ボタンＡａ４の操作を受付けると、サンプル要求指令を印刷受注装置１０へ送信する。サンプル要求指令は、印刷受注装置１０に対して、印刷する候補となるサンプル（印刷物の雛型）の提示を要求するものである。サンプル要求指令には、「発注者ＩＤ」と、複数の「質問項目ＩＤ」と、当該複数の「質問項目ＩＤ」のそれぞれに対応付けられた「回答番号」と、作成する印刷物の「属性ＩＤ」が含まれる。
【００６８】
サンプル要求指令に含まれる「質問項目ＩＤ」は、アンケート画面に表示されている「質問項目」の「質問項目ＩＤ」である。サンプル要求指令に含まれる「回答番号」は、チェックボックス欄Ａａ０３−１〜３の中でチェックされているものに対応している「回答番号」である。サンプル要求指令に含まれる「属性ＩＤ」は、上述の印刷物作成開始指令を送信したときにＲＡＭに記憶しておいたものである。
【００６９】
後述するように（ステップＳ４１０参照）、印刷受注装置１０は、印刷発注装置３０からサンプル要求指令を受信すると、受信した「発注者ＩＤ」，「質問項目ＩＤ」の組合せに対応するアンケートＤＢ１２ｃ（図６参照）のレコードに対して、登録されている「回答番号」（回答番号フィールドＦｃ０３−１〜ｎ）の更新を行う。
【００７０】
このように、本実施形態では、過去に回答した「質問項目」に対する回答がアンケートＤＢ１２ｃに登録されるため、アンケート画面では、デフォルトとして過去の回答内容をチェックボックス欄Ａａ０３−１〜３に反映して表示することができる。したがって、「質問項目」が複数あっても、発注者が回答する際の手間を軽減することができる。
【００７１】
（候補サンプルの提示と選択）
「候補サンプルの提示と選択」（ステップＳ４）の業務では、複数の「サンプル」の中から、「候補サンプル」の提示を行う。「サンプル」とは、印刷物のデザインの雛型である。本実施形態では、複数の「サンプル」が画像データとして記憶手段１２に予め登録されている。「候補サンプル」とは、複数の「サンプル」の中から、発注者が好みそうな「サンプル」として印刷受注装置１０が選択するものである。
【００７２】
「候補サンプルの提示と選択」の業務において、印刷受注装置１０は、「発注情報の収集（アンケートの実施も含む）」（ステップＳ３）で印刷発注装置３０から送信されたサンプル要求指令に基づいて、「候補サンプル」を選択して、発注者に提示する。なお、「候補サンプルの提示と選択」の業務において、印刷受注装置１０は、候補サンプル提示処理（後述の図１１参照）や、候補サンプル変更処理（後述の図１３参照）を行う。
【００７３】
まず、「候補サンプルの提示と選択」の業務で必要となるサンプルＤＢ１２ｄ，指数算出ＤＢ１２ｙについて、図８乃至図１０を用いて説明する。
【００７４】
図８は、サンプルＤＢ１２ｄの一部を表として示している。サンプルＤＢ１２ｄは、「サンプル」を管理するためのものであり、本発明のサンプル指数登録手段に相当する。本実施形態では、予め複数の「サンプル」が、当該「サンプル」のデザインの特徴を表す情報とともにサンプルＤＢ１２ｄに登録されている。
図８に示すように、サンプルＤＢ１２ｄは、サンプルＩＤフィールドＦｄ０１と、属性ＩＤフィールドＦｄ０２と、指数フィールドＦｄ０３と、デザイナーＩＤフィールドＦｄ０４を備えたレコードの集合で構成され、同一レコード内の各フィールドが相互に対応付けられている。
【００７５】
サンプルＩＤフィールドＦｄ０１には、「サンプルＩＤ」が登録されている。「サンプルＩＤ」は、記憶手段１２に画像データファイルとして登録されている各「サンプル」のファイル名を示す。本実施形態では「サンプルＩＤ」を登録することで、「サンプル」をサンプルＤＢ１２ｄへ登録している。「サンプルＩＤ」は、サンプルを特定するものであり、本発明のサンプル識別標識に相当する。
属性ＩＤフィールドＦｄ０２には、「属性ＩＤ」が登録されている。属性ＩＤフィールドＦｄ０２には、サンプルＩＤフィールドＦｄ０１の「サンプルＩＤ」で特定される「サンプル」がどの「属性」に属する印刷物の雛型であるのかを示すために、その「属性」に対応する「属性ＩＤ」が登録されている。受注者は、「サンプル」をサンプルＤＢ１２ｄへ登録するときに、その「サンプル」の「属性」を決定して、決定した「属性」に対応する「属性ＩＤ」を指数フィールドＦｄ０３に登録する。
【００７６】
指数フィールドＦｄ０３には、「指数（Ｉｘ，Ｉｙ，Ｉｚ）」が登録されている。「指数（Ｉｘ，Ｉｙ，Ｉｚ）」は、サンプルＩＤフィールドＦｄ０１の「サンプルＩＤ」で特定される「サンプル」のデザインの特徴を数値で表したものであり、本発明のデザイン特徴指数に相当する。「サンプル」の特徴をどのような数値で示すかは限定されるものではないが、本実施形態では、「指数（Ｉｘ，Ｉｙ，Ｉｚ）」を、派手指数Ｉｘ，先進指数Ｉｙ，複雑指数Ｉｚの組合せと定義して、この「指数（Ｉｘ，Ｉｙ，Ｉｚ）」によって、「サンプル」の特徴を数値で表している。
【００７７】
派手指数Ｉｘは、「サンプル」が派手であるか、地味であるかの程度を示す値である。派手指数Ｉｘの値が大きいほど、その「サンプル」が派手であると評価されていることを示す。先進指数Ｉｙは、「サンプル」が先進的であるか、伝統的であるかの程度を示す値である。先進指数Ｉｙの値が大きいほど、その「サンプル」が先進的であると評価されていることを示す。複雑指数Ｉｚは、「サンプル」が複雑であるか、単純であるかの程度を示す値である。複雑指数Ｉｚの値が大きいほど、その「サンプル」が複雑であると評価されていることを示す。
【００７８】
受注者は、「サンプル」をサンプルＤＢ１２ｄへ登録するときに、その「サンプル」の「指数（Ｉｘ，Ｉｙ，Ｉｚ）」を決定して、決定した「指数（Ｉｘ，Ｉｙ，Ｉｚ）」を指数フィールドＦｄ０３に登録する。
【００７９】
デザイナーＩＤフィールドＦｄ０４には、サンプルＩＤフィールドＦｄ０１の「サンプルＩＤ」で特定される「サンプル」を作成したデザイナーの識別標識である「デザイナーＩＤ」が登録されている。なお、印刷受注装置１０の記憶手段には、「デザイナーＩＤ」で特定されるデザイナーへの連絡先が登録されている。デザイナーへの連絡（又は連絡先の提示）を要求する指令を印刷発注装置３０から受信した場合には、印刷受注装置１０は、指令で指定される「デザイナーＩＤ」でデザイナーへの連絡先を検索して、抽出した連絡先への連絡（又は連絡先の提示）を行う。このように構成することで、印刷受注装置１０によって、発注者とデザイナーとの仲介を行うことが可能となる。
【００８０】
図９は、「指数（Ｉｘ，Ｉｙ，Ｉｚ）」を説明するために、各「サンプル」を３次元の座標軸上に示した説明図である。図９に示すように、派手指数Ｉｘ，先進指数Ｉｙ，複雑指数Ｉｚをそれぞれ直行する軸にとると、各「サンプル」の特徴が図９の○印で記された座標で表すことができる。
【００８１】
図１０は、指数算出ＤＢ１２ｙの一部を表として示している。指数算出ＤＢ１２ｙは、本発明の指数ポイント登録手段に相当する。指数算出ＤＢ１２ｙは、各「質問項目」に対する回答に応じた「指数ポイント（ｉｘ，ｉｙ，ｉｚ）」を定めるものである。「指数ポイント（ｉｘ，ｉｙ，ｉｚ）」は、各「回答番号」について付与された派手指数ポイントｉｘ，先進指数ポイントｉｙ，複雑指数ポイントｉｚの組合せで規定されている。
【００８２】
本実施形態の指数算出ＤＢ１２ｙは、「質問項目ＩＤ」と「回答番号」の組合せに対する「指数ポイント（ｉｘ，ｉｙ，ｉｚ）」を規定している。
図１０に示すように、指数算出ＤＢ１２ｙは、質問項目ＩＤフィールドＦｙ０１と、指数ポイントフィールドＦｙ０２−１〜３を備えたレコードの集合で構成され、同一レコード内の各フィールドが相互に対応付けられている。
【００８３】
質問項目ＩＤフィールドＦｙ０１には、「質問項目ＩＤ」が記憶されている。
指数ポイントフィールドＦｙ０２−１には、「質問項目ＩＤ」で特定される「質問項目」に対する回答の「回答番号」が『１』である場合に対する「指数ポイント（ｉｘ，ｉｙ，ｉｚ）」が記憶されている。指数ポイントフィールドＦｙ０２−２には、「回答番号」が『２』である場合に対する「指数ポイント（ｉｘ，ｉｙ，ｉｚ）」が記憶されている。指数ポイントフィールドＦｙ０２−３には、「回答番号」が『３』である場合に対する「指数ポイント（ｉｘ，ｉｙ，ｉｚ）」が記憶されている。
【００８４】
次に、「候補サンプルの提示と選択」の業務において、印刷受注装置１０が行う候補サンプル提示処理，候補サンプル変更処理について、図１１乃至図１３を用いて説明する。候補サンプル提示処理，候補サンプル変更処理では、上述のサンプルＤＢ１２ｄ（図８参照）、指数算出ＤＢ１２ｙ（図６参照）のデータが適宜用いられる。
【００８５】
図１１は、印刷受注装置１０が行う候補サンプル提示処理を示すフローチャートである。候補サンプル提示処理は、発注者に提示する「候補サンプル」を提示するために行われる処理である。本実施形態では、後述のステップＳ４１３で抽出した「サンプルＩＤ」によって特定される「サンプル」を、「候補サンプル」として提示する。
【００８６】
まず、ステップＳ４１０では、印刷発注装置３０から上述のサンプル要求指令（「発注者ＩＤ」、「質問項目ＩＤ」と、当該「質問項目ＩＤ」に対応付けられた「回答番号」と、作成する印刷物の「属性ＩＤ」を含む）を受信する。そして、受信した「発注者ＩＤ」，「質問項目ＩＤ」の組合せに対応するアンケートＤＢ１２ｃ（図６参照）のレコードに対して、受信した「回答番号」で、回答番号フィールドＦｃ０３の更新を行う。このステップＳ４１０によって、本発明のサンプル要求指令受信工程が実行される。
【００８７】
続いて、ステップＳ４１１では、受信したサンプル要求指令に含まれる「質問項目ＩＤ」，「回答番号」と、指数算出ＤＢ１２ｙ（図１０参照）とを比較して、受信した総ての「質問項目ＩＤ」と「回答番号」の組合せに基づいて、当該組合せに対応する「指数ポイント（ｉｘ，ｉｙ，ｉｚ）」を、指数算出ＤＢ１２ｙから抽出する。そして、抽出した「指数ポイント（ｉｘ，ｉｙ，ｉｚ）」に基づいて、発注者の好みを示す発注者特徴指数を算出する。このステップＳ４１１によって、本発明の発注者特徴指数算出工程が実行される。
【００８８】
発注者特徴指数の算出の方法は特に限定されない。本実施形態では、抽出したすべての「指数ポイント（ｉｘ，ｉｙ，ｉｚ）」について、派手指数ポイントｉｘ，先進指数ポイントｉｙ，複雑指数ポイントｉｚを合計することで、派手指数ポイントｉｘの合計値Ｓｉｘ，先進指数ポイントｉｙの合計値Ｓｉｙ，複雑指数ポイントｉｚの合計値Ｓｉｚを算出している。そして、この算出した派手指数ポイントｉｘの合計値Ｓｉｘ，先進指数ポイントｉｙの合計値Ｓｉｙ，複雑指数ポイントｉｚの合計値Ｓｉｚの組合せ（以下「合計値の組合せ（Ｓｉｘ，Ｓｉｙ，Ｓｉｚ）」という）を発注者特徴指数としている。発注者特徴指数としては、「指数ポイント（ｉｘ，ｉｙ，ｉｚ）」を単純に合計するのではなく、他の計算式等に基づいて算出したものを採用することもできる。
【００８９】
続いて、ステップＳ４１２では、印刷受注装置１０は、サンプルＤＢ１２ｄ（図８参照）を検索して、属性ＩＤフィールドＦｄ０２に、印刷物作成開始指令に含まれる「属性ＩＤ」と一致する「属性ＩＤ」が登録されているレコードを抽出する。
続いて、ステップＳ４１３では、「サンプルＩＤ」の抽出を行う。印刷受注装置１０は、ステップＳ４１２で抽出したレコードに対して、ステップＳ４１１で算出した発注者特徴指数と、指数フィールドＦｄ０３の「指数（Ｉｘ，Ｉｙ，Ｉｚ）」を比較することで、発注者特徴指数（合計値の組合せ（Ｓｉｘ，Ｓｉｙ，Ｓｉｚ））に近い「指数（Ｉｘ，Ｉｙ，Ｉｚ）」を検索して、検索した「指数（Ｉｘ，Ｉｙ，Ｉｚ）」に対応する「サンプルＩＤ」を抽出する。ステップＳ４１２〜Ｓ４１３によって、本発明のサンプル抽出工程が実行される。
【００９０】
本実施形態では、ステップＳ４１１で算出した発注者特徴指数（合計値の組合せ（Ｓｉｘ，Ｓｉｙ，Ｓｉｚ））と、指数フィールドＦｄ０３の「指数（Ｉｘ，Ｉｙ，Ｉｚ）」を比較することで、発注者特徴指数に近い「指数（Ｉｘ，Ｉｙ，Ｉｚ）」を検索して、検索した「指数（Ｉｘ，Ｉｙ，Ｉｚ）」に対応する「サンプルＩＤ」を抽出している。
【００９１】
発注者特徴指数に近い「指数（Ｉｘ，Ｉｙ，Ｉｚ）」の検索は、様々な方法で行うことができる。本実施形態では、当該「指数（Ｉｘ，Ｉｙ，Ｉｚ）」の検索を、ステップＳ４１２で抽出した総てのレコードについて、次に示す（式１）の計算に基づいて行っている。
（Ｓｉｘ−Ｉｘ）２＋（Ｓｉｙ−Ｉｙ）２＋（Ｓｉｚ−Ｉｚ）２・・・（式１）
【００９２】
（式１）中のＳｉｘ，Ｓｉｙ，Ｓｉｚは、ステップＳ４１１で算出した派手指数ポイントｉｘの合計値Ｓｉｘ，先進指数ポイントｉｙの合計値Ｓｉｙ，複雑指数ポイントの合計値Ｓｉｚである。また、（式１）中のＩｘ，Ｉｙ，Ｉｚは、ステップＳ４１２で抽出した各レコードの「指数（Ｉｘ，Ｉｙ，Ｉｚ）」の派手指数Ｉｘ，先進指数Ｉｙ，複雑指数Ｉｚの値である。
【００９３】
すなわち、本実施形態では、印刷受注装置１０は、（式１）の計算結果が小さい値を示す「指数（Ｉｘ，Ｉｙ，Ｉｚ）」を、発注者特徴指数に近い「指数（Ｉｘ，Ｉｙ，Ｉｚ）」であると判断して、ステップＳ４１３の検索を行う。
【００９４】
本実施形態では、（式１）の結果が最も小さい値となるレコードの「サンプルＩＤ」で特定される「サンプル」を、第１の「候補サンプル」とする。また、（式１）の結果が２番目に小さい値となるレコードの「サンプルＩＤ」で特定される「サンプル」を、第２の「候補サンプル」とする。さらに、（式１）の結果が３番目に小さい値となるレコードの「サンプルＩＤ」で特定される「サンプル」を、第３の「候補サンプル」と定義して、ステップＳ４１３では、これら第１〜第３の「候補サンプル」の「サンプルＩＤ」を抽出する。
【００９５】
続いて、ステップＳ４１４では、ステップＳ４１３で抽出した「サンプルＩＤ」で特定される「サンプル」の画像データを記憶手段１２から読み出して、この画像データを「候補サンプル」の画像データとして印刷発注装置３０へ送信し、候補サンプル提示処理を終了する。本実施形態では、第１〜第３の「候補サンプル」の画像データを印刷発注装置３０へ送信する。なお、本実施形態では、ステップＳ４１１で算出した発注者特徴指数（合計値の組合せ（Ｓｉｘ，Ｓｉｙ，Ｓｉｚ））も、「サンプル」の画像データとともに送信され、印刷発注装置３０は、受信したＳｉｘ，Ｓｉｙ，Ｓｉｚを、後の処理のためにＲＡＭに保存する。このステップＳ４１４によって、本発明のサンプル送信工程が実行される。
【００９６】
図１２は、サンプル選択画面を示す説明図である。印刷受注装置１０が上述の候補サンプル提示処理（図１１）を行うことによって、印刷受注装置１０から印刷発注装置３０へ「候補サンプル」の画像データが送信されると、印刷発注装置３０は、印刷発注装置３０のＷＥＢブラウザによって、図１２に示すサンプル選択画面を表示装置に表示する。サンプル選択画面は、発注者が、画面上で「候補サンプル」を確認して、表示された「候補サンプル」の中から気に入った「サンプル」を選択するための画面である。
【００９７】
図１２に示すように、サンプル選択画面は、候補表示欄Ａｂ１−１〜３と、チェックボックス欄Ａｂ２−１〜３と、決定ボタンＡｂ３と、再要求ボタンＡｂ４、見積表示欄Ａｂ５を備える。
候補表示欄Ａｂ１−１〜３には、「候補サンプル」が画像表示される。本実施形態では、印刷発注装置３０は、上述の候補サンプル提示処理（図１１）で印刷受注装置１０から送信された第１〜第３の「候補サンプル」の画像データに基づいて、候補表示欄Ａｂ１−１〜３に第１〜第３の「候補サンプル」を画像表示する。
【００９８】
チェックボックス欄Ａｂ２−１〜３は、候補表示欄Ａｂ１−１〜３の「候補サンプル」に対応して設けられている。発注者が表示された「候補サンプル」から、いずれか１つの「候補サンプル」を選択する場合、選択する「候補サンプル」に対応するチェックボックス欄Ａｂ３−１〜３のいずれか１つがチェック表示（図１２中では黒塗り表示）される。
【００９９】
決定ボタンＡｂ３は、チェックボックス欄Ａｂ３−１〜３のいずれか１つがチェック表示（図１２中では黒塗り表示）された状態で、発注者が画面上で操作するボタンである。チェックボックス欄Ａｂ３−１〜３のいずれか１つがチェック表示（図１２中では黒塗り表示）された状態で、発注者が決定ボタンＡｂ３を押すことで、チェック表示されているチェックボックス欄Ａｂ３−１〜３のいずれかに対応して表示されている「候補サンプル」が、印刷する印刷物の「サンプル」として決定される。印刷発注装置３０は、決定ボタンＡｂ３の操作を受付けると、サンプル加工要求指令を印刷受注装置１０へ送信する。
【０１００】
再要求ボタンＡｂ４は、発注者が表示された「候補サンプル」のいずれも気に入らない場合に、発注者が画面上で操作するボタンである。印刷発注装置３０は、再要求ボタンＡｂ４の操作を受付けると、再要求指令を印刷受注装置１０へ送信する。再要求指令を受信すると、受注装置１０は候補サンプル変更処理（後述の図１３参照）を行う。再要求指令には、サンプル選択画面に表示されている第１〜第３の「候補サンプル」の「サンプルＩＤ」と、「属性ＩＤ」が含まれる。「属性ＩＤ」は、上述の印刷物作成開始指令を送信したときにＲＡＭに記憶してあったものである。また、再要求指令には、ＲＡＭに保存してあった発注者特徴指数（合計値の組合せ（Ｓｉｘ，Ｓｉｙ，Ｓｉｚ））も含まれる。
【０１０１】
見積表示欄Ａｂ５には、表示されている「候補サンプル」を印刷する場合に、発注者が受注者に対して支払うべき金額が表示される。この金額の表示は、印刷受注装置１０の記憶手段１２内に予め保存されている料金表に基づいて計算されたデータが、印刷受注装置１０から印刷発注装置に送信され、このデータに基づいて表示されるものである。このように、発注者は、「候補サンプル」が提示された時点で、サンプル選択画面の一部に表示された見積表示欄Ａｂ５の表示によって、同時に見積もりを得ることができるため、安心して印刷物の発注を行うことができる。
【０１０２】
図１３は、印刷受注装置１０が行う候補サンプル変更処理を示すフローチャートである。候補サンプル変更処理は、候補サンプル提示処理（図１１参照）で提示した「候補サンプル」を発注者が気に入らなかった場合に、改めて別の「候補サンプル」を提示するために行われる処理である。本実施形態では、後述のステップＳ４２３で抽出した「サンプルＩＤ」によって特定される「サンプル」を、「候補サンプル」として提示する。
【０１０３】
候補サンプル変更処理は、印刷発注装置３０から上述の再要求指令を受信することで開始される。上述したように、再要求指令には、第１〜第３の「候補サンプル」の「サンプルＩＤ」と、「属性ＩＤ」が含まれる。
まず、ステップＳ４２１では、印刷受注装置１０は、サンプルＤＢ１２ｄ（図８参照）を検索して、再要求指令に含まれる「属性ＩＤ」と一致する「属性ＩＤ」が登録されているレコードを抽出する。
【０１０４】
続いて、ステップＳ４２２では、再度「サンプルＩＤ」の抽出を行う。すなわち、ステップＳ４１１で算出した発注者特徴指数（合計値の組合せ（Ｓｉｘ，Ｓｉｙ，Ｓｉｚ））と、サンプルＤＢ１２（図８）における指数フィールドＦｄ０３の「指数（Ｉｘ，Ｉｙ，Ｉｚ）」を比較することで、発注者特徴指数に近い「指数（Ｉｘ，Ｉｙ，Ｉｚ）」を検索して、検索した「指数（Ｉｘ，Ｉｙ，Ｉｚ）」に対応する「サンプルＩＤ」を抽出する。ただし、上述の再要求指令に含まれる「サンプルＩＤ」は、抽出の対象から除外する。
【０１０５】
本実施形態では、ステップＳ４１１で算出した発注者特徴指数を示すものとして、再要求指令に含まれる発注者特徴指数（合計値の組合せ（Ｓｉｘ，Ｓｉｙ，Ｓｉｚ））を用いる。
【０１０６】
そして、本実施形態のステップＳ４２２では、ステップＳ４２１で抽出したレコードに対して、再要求指令に含まれる発注者特徴指数（合計値の組合せ（Ｓｉｘ，Ｓｉｙ，Ｓｉｚ））と、指数フィールドＦｄ０３の「指数（Ｉｘ，Ｉｙ，Ｉｚ）」を比較することで、発注者特徴指数に近い派手指数Ｉｘ，先進指数Ｉｙ，複雑指数Ｉｚの組合せを有する「指数（Ｉｘ，Ｉｙ，Ｉｚ）」を検索し、当該「指数（Ｉｘ，Ｉｙ，Ｉｚ）」に対応する「サンプルＩＤ」を抽出する。このとき、ステップＳ４２２では、再要求指令に含まれる「サンプルＩＤ」に対応するレコードを検索から除外する。
【０１０７】
発注者特徴指数（合計値の組合せ（Ｓｉｘ，Ｓｉｙ，Ｓｉｚ））に近い派手指数Ｉｘ，先進指数Ｉｙ，複雑指数Ｉｚの組合せを有する「指数（Ｉｘ，Ｉｙ，Ｉｚ）」の検索は、候補サンプル提示処理（図１１）のステップＳ４１３と同様に行い、改めて第１〜第３の「候補サンプル」の「サンプルＩＤ」を抽出する。
【０１０８】
続いて、ステップＳ４２３では、ステップＳ４２２で抽出した「サンプルＩＤ」で特定される「サンプル」の画像データを記憶手段１２から読み出して、この画像データを「候補サンプル」の画像データとして印刷発注装置３０へ送信し、候補サンプル提示処理を終了する。本実施形態では、第１〜第３の「候補サンプル」の画像データを印刷発注装置３０へ送信する。なお、本実施形態では、発注者特徴指数（合計値の組合せ（Ｓｉｘ，Ｓｉｙ，Ｓｉｚ））も、「サンプル」の画像データとともに送信され、印刷発注装置３０は、受信した発注者特徴指数（合計値の組合せ（Ｓｉｘ，Ｓｉｙ，Ｓｉｚ））を、後の処理のためにＲＡＭに保存する。
【０１０９】
印刷受注装置１０から印刷発注装置３０へ「候補サンプル」の画像データが送信されると、印刷発注装置３０は、候補サンプル変更処理（図１３参照）で改めて抽出された第１〜第３の「候補サンプル」を上述のサンプル選択画面（図１２参照）を表示装置に表示する。このようにサンプル選択画面を表示した後は、決定ボタンＡｂ３や再要求ボタンＡｂ４の操作に応じて、上述と同様の処理が行われる。
【０１１０】
（サンプルの加工）
「サンプルの加工」（ステップＳ５）の業務では、「候補サンプルの提示と選択」（ステップＳ４）で決定された「サンプル」の加工を行う。
「候補サンプルの提示と選択」（ステップＳ４）の業務の結果、サンプル加工要求指令を受信した印刷受注装置１０は、印刷発注装置３０へサンプル加工画面のデータを送信する。サンプル加工画面のデータを受信した印刷発注装置３０は、ＷＥＢブラウザによって、サンプル加工画面を表示装置に表示する。
【０１１１】
図１４，図１５は、サンプル加工画面を示す説明図である。サンプル加工画面は、発注者が「サンプル」にある絵や文字を変更して「サンプル」の加工を行うための画面である。図１４，図１５に示すように、サンプル加工画面は、入力欄Ａｃ１と、見積表示欄Ａｃ２と、決定ボタンＡｃ３を備える。
【０１１２】
発注者は、サンプル加工画面の入力欄Ａｃ１に「加工データ」入力を行うことで、「加工データ」に従った「サンプル」の加工を行う。「加工データ」としては、例えば、印刷物の背景色や、タイトル文字や、印刷物の本文（内容，キャッチコピー，詳細文，サンプル加工画面商品説明）や、店舗名（会社名）や、店舗住所（会社住所）や、電話番号や、ＵＲＬや、電子メールアドレスを変更・入力することができる。また、商品のシンボルマークや、地図や、ロゴの挿入を行うか否かを選択できる。また、シンボルマークや、地図や、ロゴについては、予め個別デザインＤＢ１２ｂに登録しておいた「個別デザイン」を指定して、印刷物に挿入することもできる。
【０１１３】
本実施形態では、変更内容によっては、発注者が受注者に対して支払う金額に追加料金が発生する場合がある。本実施形態では、サンプル加工画面の一部に見積もりを表示する見積表示欄Ａｃ２が設けられている。そして、サンプル加工画面の内容で印刷物の発注を行った場合の見積もり金額を、見積表示欄Ａｃ２に表示する構成となっている。この金額の表示は、印刷受注装置１０の記憶手段１２内に予め保存されている料金表に基づいて計算されたデータが、印刷受注装置１０から印刷発注装置に送信され、このデータに基づいて表示されるものである。したがって、発注者は安心して「サンプル」の絵や文字を変更することができる。
【０１１４】
例えば、発注者が印刷物の本文のフォントを変更した場合に印刷物の単価が上がる場合でも、印刷物の本文のフォントを変更した場合の印刷部数に応じた見積もり金額が、サンプル加工画面の一部に表示された見積表示欄Ａｃ２に表示されるため、発注者は安心して「サンプル」の絵や文字を変更することができる。
【０１１５】
サンプル加工画面には、決定ボタンＡｃ３が備えられている。発注者は、「サンプル」の加工を終えたら、決定ボタンＡｃ３を操作する。印刷発注装置３０は、決定ボタンＡｃ３の操作を受付けると、最終見本要求指令を印刷受注装置１０へ送信する。最終見本要求指令は「発注者ＩＤ」，「加工データ」を含み、「最終見本」の提示を印刷発注装置３０へ求めるものである。なお、「最終見本」とは、「サンプル」に、サンプル加工画面で入力された「サンプル」の加工の結果を反映させた印刷物の画像である。
【０１１６】
（印刷ファイルの作成）
「印刷ファイルの作成」（ステップＳ６）の業務では、「サンプルの加工」（ステップＳ５）で行われた「サンプル」の加工の結果を反映した「最終見本」のデータを作成する。
「サンプルの加工」（ステップＳ５）の業務の結果、最終見本要求指令を受信した印刷受注装置１０は、「加工データ」に基づいて、「最終見本」のデータを作成する。例えばＰＤＦファイルの形式で、「最終見本」のデータを作成する。このとき作成した「最終見本」のデータは、記憶手段１２に「印刷物ファイル名」を付されて保存される。そして、この「印刷物ファイル名」を「履歴」として発注者ＤＢ１２ａへ登録する。なお、「履歴」には、当該「最終見本」を作成するための「加工データ」や、当該「最終見本」で印刷物を作成する場合の単価も含まれる。
【０１１７】
（印刷ファイルの提示と決定）
「印刷ファイルの提示と決定」（ステップＳ７）の業務では、「最終見本」が発注者に示され、「最終見本」で印刷を行うことを決定するかどうかの確認が行われる。
印刷受注装置１０は、「印刷ファイルの作成」（ステップＳ６）の業務で作成した「最終見本」のデータを、仕上り確認画面を表示するためのデータとともに印刷発注装置３０へ送信する。「最終見本」のデータを受信した印刷発注装置３０は、ＷＥＢブラウザによって、「最終見本」を表示する仕上り確認画面を表示装置に表示する。
【０１１８】
図１６は、仕上り確認画面を示す説明図である。仕上り確認画面は、発注者が「最終見本」の確認を行うための画面である。図１６に示すように、仕上り確認画面は、最終見本表示欄Ａｄ１と、見積表示欄Ａｄ２と、決定ボタンＡｄ３と、やり直しボタンＡｄ４を備える。
【０１１９】
最終見本表示欄Ａｄ１には、印刷受注装置１０から受信した「最終見本」を表示する。
見積表示欄Ａｂ２には、表示されている「最終見本」のとおりに印刷物を印刷する場合に、発注者が受注者に対して支払うべき金額が表示される。この金額の表示は、印刷受注装置１０の記憶手段１２内に予め保存されている料金表に基づいて計算されたデータが、印刷受注装置１０から印刷発注装置に送信され、このデータに基づいて表示されるものである。このように、発注者は、「最終見本」が提示された時点で、見積表示欄Ａｄ２の表示によって、同時に見積もりを得ることができるため、安心して印刷物の発注を行うことができる。
【０１２０】
決定ボタンＡｄ３は、表示された「最終見本」での印刷を発注を決定する場合に、発注者が画面上で操作するボタンである。印刷発注装置３０は、決定ボタンＡｄ３の操作を受付けると、「印刷物ファイル名」を含む発注確認要求指令を印刷受注装置１０へ送信する。「最終見本」の「印刷物ファイル名」は、後の処理のために印刷発注装置３０のＲＡＭに記憶される。
【０１２１】
やり直しボタンＡｄ４は、表示された「最終見本」を気に入らない場合に、発注者が画面上で操作するボタンである。印刷発注装置３０は、決定ボタンＡｄ３の操作を受付けると、再加工要求指令を印刷受注装置１０へ送信する。再加工要求指令には、「最終見本」の「印刷物ファイル名」が含まれる。
【０１２２】
再加工要求指令を受信した印刷受注装置１０は、印刷発注装置３０へサンプル加工画面（図１４，図１５参照）のデータを送信する。この場合、サンプル加工画面のデータには、デフォルトとして表示するためのデータとして、再加工要求指令に含まれていた「印刷物ファイル名」で特定される「最終見本」の「加工データ」も含まれる。サンプル加工画面のデータを受信した印刷発注装置３０は、ＷＥＢブラウザによって、「最終見本」サンプル加工画面を表示装置に表示する。サンプル加工画面には、デフォルトとして、受信した「加工データ」に基づく表示を行う。
【０１２３】
（発注内容の確認）
「発注内容の確認」（ステップＳ８）の業務では、受注者が印刷の依頼を最終的に受ける際に、発注者に対して確認すべき事項の確認が行われる。
「印刷ファイルの提示と決定」（ステップＳ７）の業務の結果、発注確認要求指令を受信した印刷受注装置１０は、発注確認画面を表示するためのデータを印刷発注装置３０へ送信する。発注確認画面では、作成した印刷物の送付先や、受注者から発注者への請求金額等が表示される。印刷発注装置３０は、発注確認画面を表示するためのデータを受信すると、ＷＥＢブラウザによって、発注確認画面を表示装置に表示する。
【０１２４】
図１７は、発注確認画面の一部を示す説明図である。図１７に示す例では、受注者から発注者への請求金額等が表示されている。発注確認画面には、確認ボタンＡｅ１が備えられている。確認ボタンＡｅ１は、発注確認画面に表示された内容で発注を決定する場合に、発注者が画面上で操作するボタンである。印刷発注装置３０は、確認ボタンＡｅ１の操作を受付けると、「印刷物ファイル名」を含む最終発注指令を印刷受注装置１０へ送信する。
【０１２５】
（印刷）
「印刷」（ステップＳ９）の業務では、「最終見本」のデータに基づく印刷物の印刷が行われる。
「発注内容の確認」（ステップＳ８）の業務の結果、最終発注指令を受信した印刷受注装置１０は、最終発注指令に含まれている「印刷物ファイル名」で特定される「最終見本」で印刷するために、印刷装置（不図示）へ当該「最終見本」のデータを送信し、印刷装置で受注した印刷物の印刷が行われる。なお、「最終見本」のデータを、印刷を専門とする印刷業者の印刷業者装置４０へ送信するようにしてもよい。
【０１２６】
以上に説明した実施形態は、例えば、以下のように、改変することもできる。
上記の実施形態では、図１２のサンプル選択画面において、印刷発注装置３０が、再要求ボタンＡｂ４の操作を受付たときに、再要求指令を印刷受注装置１０へ送信して、印刷受注装置１０が候補サンプル変更処理（図１３）を行う構成を説明した。上記実施形態では、この再要求指令に、サンプル選択画面に表示されていた第１〜第３の「候補サンプル」の「サンプルＩＤ」と、「属性ＩＤ」と、発注者特徴指数（合計値の組合せ（Ｓｉｘ，Ｓｉｙ，Ｓｉｚ））とが含まれていたが、本実施形態ではさらに、「変更指数指示データ」を含ませるように改変することができる。
【０１２７】
「変更指数指示データ」は、派手指数Ｉｘの増減や、先進指数Ｉｙの増減や、複雑指数Ｉｚの増減を指示するデータである。「変更指数指示データ」は、例えば、変更指示画面（図示せず）での入力を受付けることで取得するようにすることとができる。具体的には、次のように構成できる。
【０１２８】
図１２のサンプル選択画面において、印刷発注装置３０が、再要求ボタンＡｂ４の操作を受付ると、印刷発注装置３０は、変更指示画面再要求指令を印刷受注装置１０へ送信する。このとき、第１〜第３の「候補サンプル」の「サンプルＩＤ」は、後の処理のために印刷発注装置３０のＲＡＭに保存されている。変更指示画面再要求指令を受信した印刷受注装置１０は、印刷発注装置３０へ変更指示画面のデータを送信する。変更指示画面のデータを受信した印刷発注装置３０は、ＷＥＢブラウザによって、変更指示画面を表示装置に表示する。
【０１２９】
変更指示画面には、派手指数Ｉｘの増減や、先進指数Ｉｙの増減や、複雑指数Ｉｚの増減の指示を受付ける入力欄が設けられている。発注者は、この入力欄に派手指数Ｉｘの増減や、先進指数Ｉｙの増減や、複雑指数Ｉｚの増減の指示を入力する。例えば、選択肢を選択して入力する入力欄から指示を入力する構成にすることができる。具体的には、例えば、派手指数Ｉｘの増加の指示を『より派手なサンプル』と表示された選択肢を選択することで入力したり、複雑指数Ｉｚの減少の指示を『よりシンプルなサンプル』と表示されたの選択肢を選択することで入力したりする構成が考えられる。
【０１３０】
印刷発注装置３０は、派手指数Ｉｘの増減や、先進指数Ｉｙの増減や、複雑指数Ｉｚの増減の指示の入力を受付けると、再要求指令を印刷受注装置１０へ送信する。この再要求指令には、サンプル選択画面に表示されていた第１〜第３の「候補サンプル」の「サンプルＩＤ」と、「属性ＩＤ」と、発注者特徴指数（合計値の組合せ（Ｓｉｘ，Ｓｉｙ，Ｓｉｚ））と、「変更指数指示データ」が含まれる。
【０１３１】
本実施形態の再要求指令に含まれる「サンプルＩＤ」は、変更指示画面再要求指令を送信したときにＲＡＭに記憶してあったものである。本実施形態の再要求指令に含まれる「属性ＩＤ」は、上述の印刷物作成開始指令を送信したときにＲＡＭに記憶してあったものである。また、本実施形態の再要求指令に含まれる「変更指数指示データ」は、変更指示画面の入力欄に入力された指示に応じたものである。
【０１３２】
変更指示画面再要求指令を受信した印刷受注装置１０は、上記の実施形態のステップＳ４２１以降の処理を行う。以降は、上記実施形態と同様の処理が、印刷受注装置１０と印刷発注装置３０で行われる。
【０１３３】
ただし、本実施形態のステップＳ４２２では、再要求指令に含まれる「サンプルＩＤ」に対応する「指数（Ｉｘ，Ｉｙ，Ｉｚ）」と、再要求指令に含まれる「変更指数指示データ」を比較して、「変更指数指示データ」の指示に反する「指数（Ｉｘ，Ｉｙ，Ｉｚ）」に対応するレコードも検索から除外する。すなわち、「変更指数指示データ」の指示で、例えば、派手指数Ｉｘの増加が指示されていた場合には、再要求指令に含まれる「サンプルＩＤ」（なお、本実施形態では再要求指令に含まれる「サンプルＩＤ」は、第１〜第３の「候補サンプル」に対応して３種類あるが、このうちのいずれでもよい。）に対応する「指数（Ｉｘ，Ｉｙ，Ｉｚ）」の派手指数Ｉｘよりも、値が小さい派手指数Ｉｘを備えた「指数（Ｉｘ，Ｉｙ，Ｉｚ）」に対応するレコードは、ステップＳ４２２の検索から除外される。
【０１３４】
このように、改変することで、「候補サンプル」の提示に際して、発注者の好みを直接反映させて、最適な「候補サンプル」を提示することができる。
【図面の簡単な説明】
【０１３５】
【図１】印刷物作成システムの全体構成を示す図である。
【図２】印刷受注装置の構成を示すブロック図である。
【図３】印刷物を作成する際の業務フローを示している。
【図４】アンケート画面を示す説明図である。
【図５】アンケート一覧ＤＢの一部を表として示している。
【図６】アンケートＤＢの一部を表として示している。
【図７】アンケート処理を示すフローチャートである。
【図８】サンプルＤＢの一部を表として示している。
【図９】各「サンプル」を３次元の座標軸上に示した説明図である。
【図１０】指数算出ＤＢの一部を表として示している。
【図１１】候補サンプル提示処理を示すフローチャートである。
【図１２】サンプル選択画面を示す説明図である。
【図１３】候補サンプル変更処理を示すフローチャートである。
【図１４】サンプル加工画面を示す説明図である。
【図１５】サンプル加工画面を示す説明図である。
【図１６】仕上り確認画面を示す説明図である。
【図１７】発注確認画面の一部を示す説明図である。
【符号の説明】
【０１３６】
１・・・通信回線
１０・・・印刷受注装置
１１・・・受注側制御部
１２・・・記憶手段
１３・・・入力部
１４・・・出力部
１５・・・通信部
３０・・・印刷発注装置
４０・・・印刷業者装置
１２ａ・・・発注者ＤＢ
１２ｂ・・・個別デザインＤＢ
１２ｃ・・・アンケートＤＢ
１２ｄ・・・サンプルＤＢ
１２ｘ・・・アンケート一覧ＤＢ
１２ｙ・・・指数算出ＤＢ
Ｉｘ・・・派手指数
Ｉｙ・・・先進指数
Ｉｚ・・・複雑指数
ｉｘ・・・派手指数ポイント
ｉｙ・・・先進指数ポイント
ｉｚ・・・複雑指数ポイント
Ｓｉｘ・・・派手指数ポイントｉｘの合計値
Ｓｉｙ・・・先進指数ポイントｉｙの合計値
Ｓｉｚ・・・複雑指数ポイントｉｚの合計値
【図１】
2006031139.tif 000003
【図２】
2006031139.tif 000004
【図３】
2006031139.tif 000005
【図４】
2006031139.tif 000006
【図５】
2006031139.tif 000007
【図６】
2006031139.tif 000008
【図７】
2006031139.tif 000009
【図８】
2006031139.tif 000010
【図９】
2006031139.tif 000011
【図１０】
2006031139.tif 000012
【図１１】
2006031139.tif 000013
【図１２】
2006031139.tif 000014
【図１３】
2006031139.tif 000015
【図１４】
2006031139.tif 000016
【図１５】
2006031139.tif 000017
【図１６】
2006031139.tif 000018
【図１７】
2006031139.tif 000019